(57)【要約】【課題】利便性を向上できる薬液用包装体を提供することを目的とする。【解決手段】上面に開口部１０ａを有して薬液が充填される収容部１０と、開口部１０ａの周縁から外周方向に延びる延設部１３と、開口部１０ａの内周部に挿入されて前記収容部１０を密封する蓋部２０と、延設部１３に固着して蓋部２０を覆うとともに薬液を吸収できる吸収体３０とを備え、収容部１３を押圧した際に収容部１０の内圧の上昇により蓋部２０が開口部１０ａから外れて吸収体３０に薬液が吸収される。【選択図】図４
2013208337.tif 000002
【特許請求の範囲】
【請求項１】
上面に開口部を有して薬液が充填される収容部と、前記開口部の周縁から外周方向に延びる延設部と、前記開口部の内周部に挿入され前記収容部を密封する蓋部と、前記延設部に固着して前記蓋部を覆うとともに薬液を吸収できる吸収体とを備え、前記収容部を押圧した際に前記収容部の内圧の上昇により前記蓋部が前記開口部から外れて前記吸収体に薬液が吸収されることを特徴とする薬液用包装体。
【請求項２】
前記延設部の内周部に前記開口部の周縁から連続する段差部が設けられ、前記蓋部が前記収容部の内周面に圧入される筒部と前記筒部よりも径が大きく前記段差部の底面に当接する上面部とを有することを特徴とする請求項１に記載の薬液用包装体。
【請求項３】
前記収容部の内周面に突起部が形成され、前記突起部に係合する係合部を前記筒部の外周面に設けたことを特徴とする請求項２に記載の薬液用包装体。
【請求項４】
前記吸収体の外周が前記延設部の外周より外側に延びて形成されることを特徴とする請求項１〜請求項３のいずれかに記載の薬液用包装体。
【発明の詳細な説明】
【技術分野】
【０００１】
本発明は薬液を包装する薬液用包装体に関する。
【背景技術】
【０００２】
従来の薬液用の包装体が特許文献１に開示される。この包装体は脱脂綿が取り付けられた綿棒と薬液とが分離して収納されている。また、薬液が収納された薬液袋は包装体の蓋部を剥離する際に破れ得るように包装体及び蓋部に接合されている。使用の際、包装体の蓋部を剥離すると、薬液袋が破れて吸収体が収容される収容部へ流出する。吸収体が薬液を吸収した後、薬液が含浸した綿棒を包装体から取り出して患部に薬液を塗布する。これにより、薬液と綿棒とを別々に用意する必要がなく、簡単に薬液を塗布することができる。
【先行技術文献】
【特許文献】
【０００３】
【特許文献１】特開平１０−０８６９７７号公報
【発明の概要】
【発明が解決しようとする課題】
【０００４】
しかしながら、上記従来の薬液用の包装体によると、使用者は収容部を開封する作業と、脱脂綿に薬液を吸収した綿棒を取り出す作業とを行って薬液を塗布する。このため、薬剤の塗布時の作業手順が多くなる。また、薬液を塗布した後に薬液が付着する包装体と綿棒とが薬液に汚染されたゴミとして残り、ゴミを２回廃棄する必要がある。加えて、収容部の開封時に薬液が零れる場合や綿棒に吸収されずに包装体に残る薬液が零れる場合がある。従って、薬液用の包装体の利便性が悪い問題があった。
【０００５】
本発明は上記問題点に鑑み、利便性を向上できる薬液用包装体を提供することを目的とする。
【課題を解決するための手段】
【０００６】
上記目的を達成するために本発明は、薬液用包装体であって、上面に開口部を有して薬液が充填される収容部と、前記開口部の周縁から外周方向に延びる延設部と、前記開口部の内周部に挿入され前記収容部を密封する蓋部と、前記延設部に固着して前記蓋部を覆うとともに薬液を吸収できる吸収体とを備え、前記収容部を押圧した際に前記収容部の内圧の上昇により前記蓋部が前記開口部から外れて前記吸収体に薬液が吸収されることを特徴としている。
【０００７】
この構成によると、収容部を例えば使用者の親指と人差し指により摘持して押圧すると、収容部の内圧の上昇により蓋部が開口部から外れて開口する。これにより、収容部内の薬液が開口部から流出して蓋部を覆う吸収体に吸収される。使用者は包装体を手指で摘持して吸収体により薬液を塗布する。薬液の塗布後、収容部と吸収体とが一体化されたゴミが廃棄される。
【０００８】
また本発明は、上記構成の包装体において、前記延設部の内周部に前記開口部の周縁から連続する段差部が設けられ、前記蓋部が前記収容部の内周面に圧入される筒部と前記筒部よりも径が大きく前記段差部の底面に当接する上面部とを有することを特徴としている。この構成によると、延設部に形成された段差部により、蓋部と吸収体との間に隙間が形成される。これにより、収容部を押圧した際に収容部の内圧の上昇により蓋部が開口部から外れやすくなる。蓋部が外れると、薬液が蓋部の上面部と段差部の底面との間を通って吸収体に吸収される。
【０００９】
また本発明は、上記構成の包装体において、前記収容部の内周面に突起部が形成され、前記突起部に係合する係合部を前記筒部の外周面に設けたことを特徴としている。この構成によると、蓋部を収容部の内部に圧入した時、突起部と係合部により蓋部が収容部の内部に係止される。
【００１０】
また本発明は、上記構成の包装体において、前記吸収体の外周が前記延設部の外周より外側に延びて形成されることを特徴としている。この構成によると、吸収体の塗布面積が大きくなり、作業性を高めることができる。
【発明の効果】
【００１１】
本発明によると、吸収体が蓋部を覆い、収容部の押圧により蓋部が収容部の開口部から外れて薬液が吸収体に吸収される。これにより、収容部を摘持した状態で収容部を開封して薬液を塗布することができる。また、収容部を開封する動作と薬液を塗布する動作とを一体的に連続して行うことができる。また、蓋部上に吸収体が配されるため収容部が吸収体により塞がれ、薬液を零さずに包装体を使用することができる。加えて、薬液を塗布した後の包装体を収容部と吸収体とを一体にゴミとして廃棄することができる。従って、使用者の利便性を向上することができる。
【図面の簡単な説明】
【００１２】
【図１】本発明の実施形態に係る包装体の分解斜視図
【図２】本発明の実施形態に係る包装体の断面図
【図３】本発明の実施形態に係る包装体の一部を拡大して示す断面図
【図４】本発明の実施形態に係る包装体の使用状態を示す斜視図
【発明を実施するための形態】
【００１３】
以下に本発明の実施形態を図面を参照して説明する。図１は一実施形態の薬液用の包装体の分解斜視図であり、図２は包装体の断面図である。
【００１４】
包装体１は薬液４０が充填される収容部１０と、収容部１０の上面に設けられた開口部１０ａを塞ぐ蓋部２０と、蓋部２０を覆うとともに薬液４０を吸収する吸収体３０とを有する。
【００１５】
薬液４０は吸収体３０に含浸させて塗布するのに適したすべての溶液を用いることができる。例えば、消毒薬、キズ薬、かゆみ止め薬を用いることができる。また、洗浄液や化粧液を用いてもよい。
【００１６】
収容部１０は上面に開口部１０ａを開口して有底筒状に形成される。また、開口部１０ａの周縁から外周方向に延設部１３が延びる。延設部１３の内周部には開口部１０ａの周縁から連続する段差部１３ａが設けられる。収容部１０と延設部１３とは、例えば、射出成型により一体成型される。収容部１０の内周面には環状の突起部１１が形成される。収容部１０及び延設部１３を構成する樹脂としては、例えば、ポリエチレン、ポリプロピレン、ポリスチレン等が使用される。
【００１７】
図３は包装体１の一部を拡大して示す断面図である。蓋部２０は上面部２０ａと筒部２０ｂとが一体に形成される。上面部２０ａは筒部２０ｂの径より大きく、蓋部２０の挿入時、延設部１３に設けられた段差部１３ａの底面に当接する。これにより、蓋部２０が収容部１０の内部に深く挿入され過ぎるのを防止することできる。また、筒部２０ｂは外径が収容部１０の内径より若干大きく形成され、収容部１０内に圧入されたとき開口部１０ａを封止する。筒部２０ｂの外周面には環状の凹部２１（係合部）が凹設される。
【００１８】
蓋部２０を収容部１０の内部に挿入すると、筒部２０ｂの凹部２１が収容部１０の内周面に設けられた突起部１１に係合する。これにより、包装体１の運搬中に蓋部２０が外れて薬液４０が漏出するのを防止することができる。
【００１９】
蓋部２０を構成する樹脂としては収容部１０及び延設部１３に使用される樹脂と同様のものを使用でき、例えば、ポリエチレン、ポリプロピレン、ポリスチレンを使用できる。なお、蓋部２０は収容部１０の押圧により変形可能なような材料や肉厚を決定すればよい。これにより、筒部２０ｂを収容部１０に圧入したとき収容部１０内部の気密性が高まり、薬液４０を密封することができる。
【００２０】
延設部１３上には吸収体３０がホットメルト接着剤７０を介して接着される。吸収体３０は薬剤４０を吸収できる材質を有し、蓋部２０を覆うように配される。このとき、延設部１３に形成された段差部１３ａにより、吸収体３０の下面と蓋部２０の上面との間には隙間５０が形成される。また、吸収体３０の外周は延設部１３の外周よりも外側に延びて形成される。なお、ホットメルト接着剤以外に各種接着剤を用いてもよい。
【００２１】
吸収体３０は薬液を吸収し、かつ皮膚等に塗布し得るものであれば、その材料は特に限定されない。例えば、脱脂綿、絹、ウール、レーヨン、ポリエステル、アクリル、ナイロン、ポリオレフィン等を用いることができる。また、これらを２種以上混合したものであってもよい。形状も特に限定されるものではなく、例えば、球形、円筒形、平板形等の適宜の形状とすることができる。また、吸収体３０は、繊維を巻き付けたもの、帯状の不織布をロール状に巻き付けたもの、型抜きされた一体ものや成型品であってもよい。
【００２２】
図４は包装体１の使用状態を示す斜視図である。収容部１０を例えば使用者の親指と人指し指で摘持し押圧する。このとき、蓋部２０の筒部２０ｂが径方向に屈曲して係合されていた凹部２１が突起部１１から外れるとともに収容部１０の内圧が上昇する。これにより、蓋部２０が吸収体３０との間に形成された隙間５０だけ開口部１０ａから浮き上がって外れる。蓋部２０が外れると、薬液４０が蓋部２０の上面部２０ａと段差部１３ａの底面との間を通って吸収体３０に吸収される。
【００２３】
使用者は図４に示すように収容部１０を摘持した状態で吸収体３０により薬液４０を患部に塗布する。これにより、収容部１０を開封する動作と薬液４０を塗布する動作とを一体的に連続して行うことができる。また、蓋部２０上に吸収体３０が配されるため収容部１０が吸収体３０により塞がれ、薬液４０を零さずに包装体１を使用することができる。
【００２４】
また、薬液４０を塗布した後の包装体１が収容部１０と吸収体３０とを一体にゴミとして廃棄される。なお、吸収体３０が容易に変形する場合、延設部１３に隙間５０を設けなくてもよく、段差部１３ａを省いてもよい。この場合、収容部１０の内圧の上昇により蓋部２０が吸収体３０を変形させながら浮き上がる。
【００２５】
本実施形態によると、吸収体３０を蓋部２０上に配し、収容部１０の押圧により蓋部２０が収容部１０の開口部１０ａから外れて薬液４０が吸収体３０に吸収される。これにより、包装体１を摘持した状態で収容部１０を開封して薬液４０を塗布することができる。また、収容部１０を開封する動作と薬液４０を塗布する動作とを一体的に連続して行うことができる。また、蓋部２０上に吸収体３０が配されるため収容部１０が吸収体３０により塞がれ、薬液４０を零さずに包装体１を使用することができる。加えて、薬液４０を塗布した後の包装体１を収容部１０と吸収体３０とを一体にゴミとして廃棄することができる。従って、使用者の利便性を向上することができる。
【００２６】
また、延設部１３の内周部に開口部１０ａの周縁から連続する段差部１３ａが設けられ、蓋部２０が収容部１０の内周面に圧入される筒部２０ｂと筒部２０ｂよりも径が大きく段差部１３ａの底面に当接する上面部２０ａとを有する。これにより、蓋部２０と吸収体３０との間に隙間５０が形成される。これにより、収容部１０を押圧した際に収容部１０の内圧の上昇により蓋部２０が開口部１０ａから外れやすくなる。蓋部２０が外れると、薬液４０が上面部２０ａと段差部１３ａの底面との間を通って吸収体３０に吸収される。
【００２７】
また、収容部１０の内周面に突起部１１が形成され、筒部２０ｂの外周面に突起部１１に係合する凹部２１（係合部）を設けることにより、蓋部２０を収容部１０の内部に圧入した時、突起部１１と凹部２１により蓋部２０が収容部１０の内部に係止される。これにより、収容部１０を押圧しなければ蓋部２０が収容部１０から外れ難い。したがって、包装体１の運搬中に蓋部２０が外れて薬液４０が漏出するのを防止することができる。
【００２８】
また、吸収体３０の外周が延設部１３の外周より外側に延びて形成されているため、吸収体３０の塗布面積が大きくなり、作業性を高めることができる。
【産業上の利用可能性】
【００２９】
本発明は、例えば、医薬品を包装する包装体に利用可能である。
【符号の説明】
【００３０】
１                包装体
１０              収容部
１０ａ            開口部
１１              突起部
１３              延設部
１３ａ            段差部
２０              蓋部
２０ａ            上面部
２０ｂ            筒部
２１              凹部
３０              吸収体
【図１】
2013208337.tif 000003
【図２】
2013208337.tif 000004
【図３】
2013208337.tif 000005
【図４】
2013208337.tif 000006